(57)【要約】      （修正有）【課題】旅行用折畳ハンガーを提供する。【解決手段】旅行用折畳ハンガーは、ハンガー主体１１を含み、前記ハンガー主体の左右両側には折畳装置１０１が対称的に設置され、前記ハンガー主体の中には手動装置１０２が設置され、前記折畳装置は前記ハンガー主体の左右両端に対称的に設置される折畳ロッド１２を含み、前記折畳ロッドのもう一端には支持ロッド１３が反転できるように設置され、前記支持ロッドが前記折畳ロッドの下側に折畳まれることができ、また前記折畳ロッドを互いに近接するまで折畳むことにより収納し、本装置は複数回に折畳まれ、収納効果がより著しくなり、空間を節約し、同時にニーズによって使用長さを選択でき、使用がより便利になる。【選択図】図１
2020175060.tif 000002
【特許請求の範囲】
【請求項１】
ハンガー主体を含み、前記ハンガー主体の左右両側には折畳装置が対称的に設置され、前記ハンガー主体の中には手動装置が設置され、前記折畳装置は前記ハンガー主体の左右両端に対称的に設置される折畳ロッドを含み、前記折畳ロッドのもう一端には支持ロッドが反転できるように設置され、前記支持ロッドが前記折畳ロッドの下側に折畳まれることができ、また前記折畳ロッドを互いに近接するまで折畳むことにより収納し、前記折畳ロッドの中にはスライドブロックが設置され、前記スライドブロックの中には伸縮ロッドが設置され、前記手動装置は前記ハンガー主体の中に設置される伝動チャンバを含み、前記伝動チャンバの左右両側にはプッシュロッドが設置され、前記ハンガー主体の上側にはノブが回転できるように設置され、手動で前記ノブを回転させ、前記プッシュロッドの一端を駆動し、前記スライドブロックをプッシュして中心から離れている方向に移動させ、そして前記伸縮ロッドが外部に伸びており、服の大きさによって前記支持ロッドを使用でき、前記折畳ロッドのうち中心に近接する一端には連結ロッドが固定的に設置され、前記連結ロッドの前後両側には圧着ブロックが設置され、前記圧着ブロックのうち中心から離れている一端にいは圧着ばねが設置され、前記圧着ばねが前記折畳ロッドを中心に近接する方向にきつく挟み、前記折畳ロッドが広げている状態に自動的に折畳まれることを防止し、折畳状態に安定的に収納でき、
前記折畳ロッドが安定的に収納を支持でき、ニーズにより前記支持ロッドを選択できるように使用できることを特徴とする旅行用折畳ハンガー。
【請求項２】
前記折畳装置は前記折畳ロッドを含み、前記連結ロッドが前記折畳ロッドのうち中心に近接する側の端面の下端に固定的に設置され、前記ハンガー主体の中には下方に開口し、かつ開口が中心から離れている方向に向く折畳チャンバが設置され、前記折畳チャンバの前後両側には挟みチャンバが連通し設置され、前記圧着ブロックが前記挟みチャンバの中にスライドできるように設置され、前記連結ロッドの前後両端が前記圧着ブロックに回転できるように連結され、前記圧着ばねが前記圧着ブロックと前記挟みチャンバの内壁とに固定的に連結され、前記折畳ロッドの中にはスライドチャンバが設置され、前記スライドブロックが前記スライドチャンバの中にスライドできるように設置され、前記スライドブロックのうち中心から離れている一端と前記スライドチャンバの内壁との間には戻しばねが固定的に連結され、前記スライドチャンバの左右両側には外部に連通する伸びチャンバが連通し設置され、前記スライドブロックの中には伸縮チャンバが設置され、前記伸縮チャンバの中には伸縮スライドブロックがスライドできるように設置され、前記伸縮スライドブロックのうち中心に近接する一端と前記伸縮チャンバの内壁との間には圧縮ばねが固定的に連結され、前記伸縮ロッドの一端が前記伸縮スライドブロックのうち中心から離れている側の端面に固定的に連結され、かつもう一端が前記伸びチャンバの中に挿入され、前記折畳ロッドの下側端面のうち中心から離れている一端には固定ブロックが前後に対称的に設置され、前記固定ブロックの中間には回転ブロックが回転できるように設置され、前記支持ロッドが前記回転ブロックのうち中心から離れている一端に固定的に連結され、前記支持ロッドのうち中心に近接する側の端面の中において前記伸びチャンバに対応するところには引掛り溝が設置され、
前記折畳ロッドを引き両側に展開させると折畳または展開することができ、前記支持ロッドを選択的に使用することを特徴とする請求項１に記載の旅行用折畳ハンガー。
【請求項３】
前記手動装置は前記伝動チャンバを含み、前記伝動チャンバの中には歯車が回転できるように設置され、前記歯車の上端には外部まで伸びている回転軸が固定的に設置され、前記ノブが前記回転軸の上端に固定的に設置され、前記回転軸の中には前記ノブと前記歯車を貫通する抜き穴が上下に貫通し設置され、前記伝動チャンバの下壁の中には回転ロッドが回転できるように設置され、前記回転ロッドの下端が外部まで伸びており、前記回転ロッドの下端にはワッシャーが固定的に連結され、前記回転ロッドの上端が前記抜き穴を貫通し、前記回転ロッドの上端にはフックが固定的に連結され、前記伝動チャンバの左右両側には二つの開口が逆であるプッシュロッドチャンバが対称的に連通設置され、前記プッシュロッドが前記プッシュロッドチャンバの中にスライドできるように設置され、前記プッシュロッドのうち中心に近接する側にはラックが固定的に連結され、前記ラックがそれぞれ前記歯車の前後両端に噛合し、前記ラックのうち前記プッシュロッドから離れている一端にはリミット板が固定的に連結され、前記リミット板が前記歯車と当接でき、
前記ノブを回転させ前記プッシュロッドを移動連動させ、また前記リミット板により前記プッシュロッドの移動距離を制限することを特徴とする請求項１に記載の旅行用折畳ハンガー。
【発明の詳細な説明】
【技術分野】
【０００１】
本発明は生活用品技術分野を取り上げて、具体的には旅行用折畳ハンガーである。
【背景技術】
【０００２】
人々が旅行するとき着替える必要があるが、着替えた服を洗った後にハンガーで干す必要があり、しかし一般的なハンガーが大きすぎて、スーツケースの多くの空間を占め、便利に携帯できなく、一部分の折畳機能を持つハンガーの折畳効果が良くなく、従って、旅行用折畳ハンガーが必要となり、本装置は二回の折畳により十分の折畳収納を行うことができ、便利に携帯できる。
【先行技術文献】
【特許文献】
【０００３】
【特許文献１】中国特許出願公開第108606603号明細書
【発明の概要】
【発明が解決しようとする課題】
【０００４】
本発明の目的は旅行用折畳ハンガーを提供し、それは上記の現在の技術中の問題を解決できる。
【課題を解決するための手段】
【０００５】
本発明の旅行用折畳ハンガーは、ハンガー主体を含み、前記ハンガー主体の左右両側には折畳装置が対称的に設置され、前記ハンガー主体の中には手動装置が設置され、前記折畳装置は前記ハンガー主体の左右両端に対称的に設置される折畳ロッドを含み、前記折畳ロッドのもう一端には支持ロッドが反転できるように設置され、前記支持ロッドが前記折畳ロッドの下側に折畳まれることができ、また前記折畳ロッドを互いに近接するまで折畳むことにより収納し、前記折畳ロッドの中にはスライドブロックが設置され、前記スライドブロックの中には伸縮ロッドが設置され、前記手動装置は前記ハンガー主体の中に設置される伝動チャンバを含み、前記伝動チャンバの左右両側にはプッシュロッドが設置され、前記ハンガー主体の上側にはノブが回転できるように設置され、手動で前記ノブを回転させ、前記プッシュロッドの一端を駆動し、前記スライドブロックをプッシュして中心から離れている方向に移動させ、そして前記伸縮ロッドが外部に伸びており、服の大きさによって前記支持ロッドを使用でき、前記折畳ロッドのうち中心に近接する一端には連結ロッドが固定的に設置され、前記連結ロッドの前後両側には圧着ブロックが設置され、前記圧着ブロックのうち中心から離れている一端にいは圧着ばねが設置され、前記圧着ばねが前記折畳ロッドを中心に近接する方向にきつく挟み、前記折畳ロッドが広げている状態に自動的に折畳まれることを防止し、折畳状態に安定的に収納でき、
前記折畳ロッドが安定的に収納を支持でき、ニーズにより前記支持ロッドを選択できるように使用できる。
【０００６】
更の技術プラン、前記折畳装置は前記折畳ロッドを含み、前記連結ロッドが前記折畳ロッドのうち中心に近接する側の端面の下端に固定的に設置され、前記ハンガー主体の中には下方に開口し、かつ開口が中心から離れている方向に向く折畳チャンバが設置され、前記折畳チャンバの前後両側には挟みチャンバが連通し設置され、前記圧着ブロックが前記挟みチャンバの中にスライドできるように設置され、前記連結ロッドの前後両端が前記圧着ブロックに回転できるように連結され、前記圧着ばねが前記圧着ブロックと前記挟みチャンバの内壁とに固定的に連結され、前記折畳ロッドの中にはスライドチャンバが設置され、前記スライドブロックが前記スライドチャンバの中にスライドできるように設置され、前記スライドブロックのうち中心から離れている一端と前記スライドチャンバの内壁との間には戻しばねが固定的に連結され、前記スライドチャンバの左右両側には外部に連通する伸びチャンバが連通し設置され、前記スライドブロックの中には伸縮チャンバが設置され、前記伸縮チャンバの中には伸縮スライドブロックがスライドできるように設置され、前記伸縮スライドブロックのうち中心に近接する一端と前記伸縮チャンバの内壁との間には圧縮ばねが固定的に連結され、前記伸縮ロッドの一端が前記伸縮スライドブロックのうち中心から離れている側の端面に固定的に連結され、かつもう一端が前記伸びチャンバの中に挿入され、前記折畳ロッドの下側端面のうち中心から離れている一端には固定ブロックが前後に対称的に設置され、前記固定ブロックの中間には回転ブロックが回転できるように設置され、前記支持ロッドが前記回転ブロックのうち中心から離れている一端に固定的に連結され、前記支持ロッドのうち中心に近接する側の端面の中において前記伸びチャンバに対応するところには引掛り溝が設置され、
前記折畳ロッドを引き両側に展開させると折畳または展開することができ、前記支持ロッドを選択的に使用する。
【０００７】
更の技術プラン、前記手動装置は前記伝動チャンバを含み、前記伝動チャンバの中には歯車が回転できるように設置され、前記歯車の上端には外部まで伸びている回転軸が固定的に設置され、前記ノブが前記回転軸の上端に固定的に設置され、前記回転軸の中には前記ノブと前記歯車を貫通する抜き穴が上下に貫通し設置され、前記伝動チャンバの下壁の中には回転ロッドが回転できるように設置され、前記回転ロッドの下端が外部まで伸びており、前記回転ロッドの下端にはワッシャーが固定的に連結され、前記回転ロッドの上端が前記抜き穴を貫通し、前記回転ロッドの上端にはフックが固定的に連結され、前記伝動チャンバの左右両側には二つの開口が逆であるプッシュロッドチャンバが対称的に連通設置され、前記プッシュロッドが前記プッシュロッドチャンバの中にスライドできるように設置され、前記プッシュロッドのうち中心に近接する側にはラックが固定的に連結され、前記ラックがそれぞれ前記歯車の前後両端に噛合し、前記ラックのうち前記プッシュロッドから離れている一端にはリミット板が固定的に連結され、前記リミット板が前記歯車と当接でき、
前記ノブを回転させ前記プッシュロッドを移動連動させ、また前記リミット板により前記プッシュロッドの移動距離を制限する。
【発明の効果】
【０００８】
本発明の有益的な効果は：本発明は構造が簡単で、操作が便利であり、旅行中に本装置を使用するとき、複数回に折畳まれ、収納効果がより著しくなり、空間を節約し、同時にニーズによって使用長さを選択でき、使用がより便利になる。
【図面の簡単な説明】
【０００９】
【図１】図１は本発明の旅行用折畳ハンガーの内部全体構成略図
【図２】図２は図１のＡ−Ａ方向の構成略図
【図３】図３は図１のＢの拡大略図
【図４】図４は図１のＣ−Ｃ方向の構成略図
【発明を実施するための形態】
【００１０】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−４を参照し、本発明の旅行用折畳ハンガーは、ハンガー主体１１を含み、前記ハンガー主体１１の左右両側には折畳装置１０１が対称的に設置され、前記ハンガー主体１１の中には手動装置１０２が設置され、前記折畳装置１０１は前記ハンガー主体１１の左右両端に対称的に設置される折畳ロッド１２を含み、前記折畳ロッド１２のもう一端には支持ロッド１３が反転できるように設置され、前記支持ロッド１３が前記折畳ロッド１２の下側に折畳まれることができ、また前記折畳ロッド１２を互いに近接するまで折畳むことにより収納し、前記折畳ロッド１２の中にはスライドブロック１４が設置され、前記スライドブロック１４の中には伸縮ロッド１５が設置され、前記手動装置１０２は前記ハンガー主体１１の中に設置される伝動チャンバ１６を含み、前記伝動チャンバ１６の左右両側にはプッシュロッド１７が設置され、前記ハンガー主体１１の上側にはノブ１８が回転できるように設置され、手動で前記ノブ１８を回転させ、前記プッシュロッド１７の一端を駆動し、前記スライドブロック１４をプッシュして中心から離れている方向に移動させ、そして前記伸縮ロッド１５が外部に伸びており、服の大きさによって前記支持ロッド１３を使用でき、前記折畳ロッド１２のうち中心に近接する一端には連結ロッド１９が固定的に設置され、前記連結ロッド１９の前後両側には圧着ブロック２０が設置され、前記圧着ブロック２０のうち中心から離れている一端にいは圧着ばね２１が設置され、前記圧着ばね２１が前記折畳ロッド１２を中心に近接する方向にきつく挟み、前記折畳ロッド１２が広げている状態に自動的に折畳まれることを防止し、折畳状態に安定的に収納でき、
前記折畳ロッド１２が安定的に収納を支持でき、ニーズにより前記支持ロッド１３を選択できるように使用できる。
【００１２】
有益的には、前記折畳装置１０１は前記折畳ロッド１２を含み、前記連結ロッド１９が前記折畳ロッド１２のうち中心に近接する側の端面の下端に固定的に設置され、前記ハンガー主体１１の中には下方に開口し、かつ開口が中心から離れている方向に向く折畳チャンバ２２が設置され、前記折畳チャンバ２２の前後両側には挟みチャンバ２３が連通し設置され、前記圧着ブロック２０が前記挟みチャンバ２３の中にスライドできるように設置され、前記連結ロッド１９の前後両端が前記圧着ブロック２０に回転できるように連結され、前記圧着ばね２１が前記圧着ブロック２０と前記挟みチャンバ２３の内壁とに固定的に連結され、前記折畳ロッド１２の中にはスライドチャンバ２４が設置され、前記スライドブロック１４が前記スライドチャンバ２４の中にスライドできるように設置され、前記スライドブロック１４のうち中心から離れている一端と前記スライドチャンバ２４の内壁との間には戻しばね２９が固定的に連結され、前記スライドチャンバ２４の左右両側には外部に連通する伸びチャンバ２５が連通し設置され、前記スライドブロック１４の中には伸縮チャンバ２６が設置され、前記伸縮チャンバ２６の中には伸縮スライドブロック２７がスライドできるように設置され、前記伸縮スライドブロック２７のうち中心に近接する一端と前記伸縮チャンバ２６の内壁との間には圧縮ばね２８が固定的に連結され、前記伸縮ロッド１５の一端が前記伸縮スライドブロック２７のうち中心から離れている側の端面に固定的に連結され、かつもう一端が前記伸びチャンバ２５の中に挿入され、前記折畳ロッド１２の下側端面のうち中心から離れている一端には固定ブロック４０が前後に対称的に設置され、前記固定ブロック４０の中間には回転ブロック４１が回転できるように設置され、前記支持ロッド１３が前記回転ブロック４１のうち中心から離れている一端に固定的に連結され、前記支持ロッド１３のうち中心に近接する側の端面の中において前記伸びチャンバ２５に対応するところには引掛り溝３９が設置され、
前記折畳ロッド１２を引き両側に展開させると折畳または展開することができ、前記支持ロッド１３を選択的に使用する。
【００１３】
有益的には、前記手動装置１０２は前記伝動チャンバ１６を含み、前記伝動チャンバ１６の中には歯車３０が回転できるように設置され、前記歯車３０の上端には外部まで伸びている回転軸３１が固定的に設置され、前記ノブ１８が前記回転軸３１の上端に固定的に設置され、前記回転軸３１の中には前記ノブ１８と前記歯車３０を貫通する抜き穴３２が上下に貫通し設置され、前記伝動チャンバ１６の下壁の中には回転ロッド３３が回転できるように設置され、前記回転ロッド３３の下端が外部まで伸びており、前記回転ロッド３３の下端にはワッシャー３５が固定的に連結され、前記回転ロッド３３の上端が前記抜き穴３２を貫通し、前記回転ロッド３３の上端にはフック３４が固定的に連結され、前記伝動チャンバ１６の左右両側には二つの開口が逆であるプッシュロッドチャンバ３６が対称的に連通設置され、前記プッシュロッド１７が前記プッシュロッドチャンバ３６の中にスライドできるように設置され、前記プッシュロッド１７のうち中心に近接する側にはラック３７が固定的に連結され、前記ラック３７がそれぞれ前記歯車３０の前後両端に噛合し、前記ラック３７のうち前記プッシュロッド１７から離れている一端にはリミット板３８が固定的に連結され、前記リミット板３８が前記歯車３０と当接でき、
前記ノブ１８を回転させ前記プッシュロッド１７を移動連動させ、また前記リミット板３８により前記プッシュロッド１７の移動距離を制限する。
【００１４】
初期状態に、折畳ロッド１２と支持ロッド１３とが展開状態にあり、プッシュロッド１７がスライドチャンバ２４の中まで伸びており、伸縮ロッド１５が引掛り溝３９の中まで伸びている。
【００１５】
折畳むとき、ノブ１８を回転させ、回転軸３１により歯車３０を回転連動させ、歯車の噛合によりラック３７を移動連動させ、またプッシュロッド１７を駆動しプッシュロッドチャンバ３６の中に収縮させ、スライドブロック１４が戻しばね２９の弾力作用により中心に近接すように移動し、このとき伸縮ロッド１５が伸びチャンバ２５の中に収縮し、このとき支持ロッド１３を折畳ロッド１２の下方まで回転させ一回の折畳みを行い、そして両側に折畳ロッド１２を引き、連結ロッド１９と圧着ブロック２０により中心から離れている方向に移動させ、折畳ロッド１２をハンガー主体１１の下側に垂直まで回転させ、このとき圧着ばね２１の弾力作用により、折畳ロッド１２が互いに近接し、完全に折畳み、
展開するとき、同様にまず両側に折畳ロッド１２を引き、また展開させ、このときノブ１８を回転させることができ、プッシュロッド１７と伸縮ロッド１５とを初期状態にリセットし、支持ロッド１３を使用する必要があるとき、支持ロッド１３を初期状態に回転させ、支持ロッド１３と伸縮ロッド１５とが当接するとき、伸縮ロッド１５が一定の距離を収縮し、引掛り溝３９が伸びチャンバ２５と向かい合うとき、伸縮ロッド１５が圧縮ばね２８の弾力作用により引掛り溝３９の中に伸び固定される。
【００１６】
本発明の有益的な効果は：本発明は構造が簡単で、操作が便利であり、旅行中に本装置を使用するとき、複数回に折畳まれ、収納効果がより著しくなり、空間を節約し、同時にニーズによって使用長さを選択でき、使用がより便利になる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175060.tif 000003
【図２】
2020175060.tif 000004
【図３】
2020175060.tif 000005
【図４】
2020175060.tif 000006
【手続補正書】
【提出日】令和1年8月22日(2019.8.22)
【手続補正１】
【補正対象書類名】特許請求の範囲
【補正対象項目名】請求項１
【補正方法】変更
【補正の内容】
【請求項１】
ハンガー主体を含み、前記ハンガー主体の左右両側には折畳装置が対称的に設置され、前記ハンガー主体の中には手動装置が設置され、前記折畳装置は前記ハンガー主体の左右両端に対称的に設置される折畳ロッドを含み、前記折畳ロッドのもう一端には支持ロッドが反転できるように設置され、前記支持ロッドが前記折畳ロッドの下側に折畳まれることができ、また前記折畳ロッドを互いに近接するまで折畳むことにより収納し、前記折畳ロッドの中にはスライドブロックが設置され、前記スライドブロックの中には伸縮ロッドが設置され、前記手動装置は前記ハンガー主体の中に設置される伝動チャンバを含み、前記伝動チャンバの左右両側にはプッシュロッドが設置され、前記ハンガー主体の上側にはノブが回転できるように設置され、手動で前記ノブを回転させ、前記プッシュロッドの一端を駆動し、前記スライドブロックをプッシュして中心から離れている方向に移動させ、そして前記伸縮ロッドが外部に伸びており、服の大きさによって前記支持ロッドを使用でき、前記折畳ロッドのうち中心に近接する一端には連結ロッドが固定的に設置され、前記連結ロッドの前後両側には圧着ブロックが設置され、前記圧着ブロックのうち中心から離れている一端には圧着ばねが設置され、前記圧着ばねが前記折畳ロッドを中心に近接する方向にきつく挟み、前記折畳ロッドが広がっている状態に自動的に折畳まれることを防止し、折畳状態に安定的に収納でき、
前記折畳ロッドが安定的に収納を支持でき、ニーズにより前記支持ロッドを選択できるように使用できることを特徴とする旅行用折畳ハンガー。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的には旅行用折畳ハンガーである。
【背景技術】
【０００２】
人々が旅行するとき着替える必要があるが、着替えた服を洗った後にハンガーで干す必要があり、しかし一般的なハンガーが大きすぎて、スーツケースの多くの空間を占め、便利に携帯できなく、一部分の折畳機能を持つハンガーの折畳効果が良くなく、従って、旅行用折畳ハンガーが必要となり、本装置は二回の折畳により十分の折畳収納を行うことができ、便利に携帯できる。
【先行技術文献】
【特許文献】
【０００３】
【特許文献１】中国特許出願公開第108606603号明細書
【発明の概要】
【発明が解決しようとする課題】
【０００４】
本発明の目的は旅行用折畳ハンガーを提供し、それは上記の現在の技術中の問題を解決できる。
【課題を解決するための手段】
【０００５】
本発明の旅行用折畳ハンガーは、ハンガー主体を含み、前記ハンガー主体の左右両側には折畳装置が対称的に設置され、前記ハンガー主体の中には手動装置が設置され、前記折畳装置は前記ハンガー主体の左右両端に対称的に設置される折畳ロッドを含み、前記折畳ロッドのもう一端には支持ロッドが反転できるように設置され、前記支持ロッドが前記折畳ロッドの下側に折畳まれることができ、また前記折畳ロッドを互いに近接するまで折畳むことにより収納し、前記折畳ロッドの中にはスライドブロックが設置され、前記スライドブロックの中には伸縮ロッドが設置され、前記手動装置は前記ハンガー主体の中に設置される伝動チャンバを含み、前記伝動チャンバの左右両側にはプッシュロッドが設置され、前記ハンガー主体の上側にはノブが回転できるように設置され、手動で前記ノブを回転させ、前記プッシュロッドの一端を駆動し、前記スライドブロックをプッシュして中心から離れている方向に移動させ、そして前記伸縮ロッドが外部に伸びており、服の大きさによって前記支持ロッドを使用でき、前記折畳ロッドのうち中心に近接する一端には連結ロッドが固定的に設置され、前記連結ロッドの前後両側には圧着ブロックが設置され、前記圧着ブロックのうち中心から離れている一端には圧着ばねが設置され、前記圧着ばねが前記折畳ロッドを中心に近接する方向にきつく挟み、前記折畳ロッドが広がっている状態に自動的に折畳まれることを防止し、折畳状態に安定的に収納でき、
前記折畳ロッドが安定的に収納を支持でき、ニーズにより前記支持ロッドを選択できるように使用できる。
【０００６】
更の技術プラン、前記折畳装置は前記折畳ロッドを含み、前記連結ロッドが前記折畳ロッドのうち中心に近接する側の端面の下端に固定的に設置され、前記ハンガー主体の中には下方に開口し、かつ開口が中心から離れている方向に向く折畳チャンバが設置され、前記折畳チャンバの前後両側には挟みチャンバが連通し設置され、前記圧着ブロックが前記挟みチャンバの中にスライドできるように設置され、前記連結ロッドの前後両端が前記圧着ブロックに回転できるように連結され、前記圧着ばねが前記圧着ブロックと前記挟みチャンバの内壁とに固定的に連結され、前記折畳ロッドの中にはスライドチャンバが設置され、前記スライドブロックが前記スライドチャンバの中にスライドできるように設置され、前記スライドブロックのうち中心から離れている一端と前記スライドチャンバの内壁との間には戻しばねが固定的に連結され、前記スライドチャンバの左右両側には外部に連通する伸びチャンバが連通し設置され、前記スライドブロックの中には伸縮チャンバが設置され、前記伸縮チャンバの中には伸縮スライドブロックがスライドできるように設置され、前記伸縮スライドブロックのうち中心に近接する一端と前記伸縮チャンバの内壁との間には圧縮ばねが固定的に連結され、前記伸縮ロッドの一端が前記伸縮スライドブロックのうち中心から離れている側の端面に固定的に連結され、かつもう一端が前記伸びチャンバの中に挿入され、前記折畳ロッドの下側端面のうち中心から離れている一端には固定ブロックが前後に対称的に設置され、前記固定ブロックの中間には回転ブロックが回転できるように設置され、前記支持ロッドが前記回転ブロックのうち中心から離れている一端に固定的に連結され、前記支持ロッドのうち中心に近接する側の端面の中において前記伸びチャンバに対応するところには引掛り溝が設置され、
前記折畳ロッドを引き両側に展開させると折畳または展開することができ、前記支持ロッドを選択的に使用する。
【０００７】
更の技術プラン、前記手動装置は前記伝動チャンバを含み、前記伝動チャンバの中には歯車が回転できるように設置され、前記歯車の上端には外部まで伸びている回転軸が固定的に設置され、前記ノブが前記回転軸の上端に固定的に設置され、前記回転軸の中には前記ノブと前記歯車を貫通する抜き穴が上下に貫通し設置され、前記伝動チャンバの下壁の中には回転ロッドが回転できるように設置され、前記回転ロッドの下端が外部まで伸びており、前記回転ロッドの下端にはワッシャーが固定的に連結され、前記回転ロッドの上端が前記抜き穴を貫通し、前記回転ロッドの上端にはフックが固定的に連結され、前記伝動チャンバの左右両側には二つの開口が逆であるプッシュロッドチャンバが対称的に連通設置され、前記プッシュロッドが前記プッシュロッドチャンバの中にスライドできるように設置され、前記プッシュロッドのうち中心に近接する側にはラックが固定的に連結され、前記ラックがそれぞれ前記歯車の前後両端に噛合し、前記ラックのうち前記プッシュロッドから離れている一端にはリミット板が固定的に連結され、前記リミット板が前記歯車と当接でき、
前記ノブを回転させ前記プッシュロッドを移動連動させ、また前記リミット板により前記プッシュロッドの移動距離を制限する。
【発明の効果】
【０００８】
本発明の有益的な効果は：本発明は構造が簡単で、操作が便利であり、旅行中に本装置を使用するとき、複数回に折畳まれ、収納効果がより著しくなり、空間を節約し、同時にニーズによって使用長さを選択でき、使用がより便利になる。
【図面の簡単な説明】
【０００９】
【図１】図１は本発明の旅行用折畳ハンガーの内部全体構成略図
【図２】図２は図１のＡ−Ａ方向の構成略図
【図３】図３は図１のＢの拡大略図
【図４】図４は図１のＣ−Ｃ方向の構成略図
【発明を実施するための形態】
【００１０】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−４を参照し、本発明の旅行用折畳ハンガーは、ハンガー主体１１を含み、前記ハンガー主体１１の左右両側には折畳装置１０１が対称的に設置され、前記ハンガー主体１１の中には手動装置１０２が設置され、前記折畳装置１０１は前記ハンガー主体１１の左右両端に対称的に設置される折畳ロッド１２を含み、前記折畳ロッド１２のもう一端には支持ロッド１３が反転できるように設置され、前記支持ロッド１３が前記折畳ロッド１２の下側に折畳まれることができ、また前記折畳ロッド１２を互いに近接するまで折畳むことにより収納し、前記折畳ロッド１２の中にはスライドブロック１４が設置され、前記スライドブロック１４の中には伸縮ロッド１５が設置され、前記手動装置１０２は前記ハンガー主体１１の中に設置される伝動チャンバ１６を含み、前記伝動チャンバ１６の左右両側にはプッシュロッド１７が設置され、前記ハンガー主体１１の上側にはノブ１８が回転できるように設置され、手動で前記ノブ１８を回転させ、前記プッシュロッド１７の一端を駆動し、前記スライドブロック１４をプッシュして中心から離れている方向に移動させ、そして前記伸縮ロッド１５が外部に伸びており、服の大きさによって前記支持ロッド１３を使用でき、前記折畳ロッド１２のうち中心に近接する一端には連結ロッド１９が固定的に設置され、前記連結ロッド１９の前後両側には圧着ブロック２０が設置され、前記圧着ブロック２０のうち中心から離れている一端には圧着ばね２１が設置され、前記圧着ばね２１が前記折畳ロッド１２を中心に近接する方向にきつく挟み、前記折畳ロッド１２が広がっている状態に自動的に折畳まれることを防止し、折畳状態に安定的に収納でき、前記折畳ロッド１２が安定的に収納を支持でき、ニーズにより前記支持ロッド１３を選択できるように使用できる。
【００１２】
有益的には、前記折畳装置１０１は前記折畳ロッド１２を含み、前記連結ロッド１９が前記折畳ロッド１２のうち中心に近接する側の端面の下端に固定的に設置され、前記ハンガー主体１１の中には下方に開口し、かつ開口が中心から離れている方向に向く折畳チャンバ２２が設置され、前記折畳チャンバ２２の前後両側には挟みチャンバ２３が連通し設置され、前記圧着ブロック２０が前記挟みチャンバ２３の中にスライドできるように設置され、前記連結ロッド１９の前後両端が前記圧着ブロック２０に回転できるように連結され、前記圧着ばね２１が前記圧着ブロック２０と前記挟みチャンバ２３の内壁とに固定的に連結され、前記折畳ロッド１２の中にはスライドチャンバ２４が設置され、前記スライドブロック１４が前記スライドチャンバ２４の中にスライドできるように設置され、前記スライドブロック１４のうち中心から離れている一端と前記スライドチャンバ２４の内壁との間には戻しばね２９が固定的に連結され、前記スライドチャンバ２４の左右両側には外部に連通する伸びチャンバ２５が連通し設置され、前記スライドブロック１４の中には伸縮チャンバ２６が設置され、前記伸縮チャンバ２６の中には伸縮スライドブロック２７がスライドできるように設置され、前記伸縮スライドブロック２７のうち中心に近接する一端と前記伸縮チャンバ２６の内壁との間には圧縮ばね２８が固定的に連結され、前記伸縮ロッド１５の一端が前記伸縮スライドブロック２７のうち中心から離れている側の端面に固定的に連結され、かつもう一端が前記伸びチャンバ２５の中に挿入され、前記折畳ロッド１２の下側端面のうち中心から離れている一端には固定ブロック４０が前後に対称的に設置され、前記固定ブロック４０の中間には回転ブロック４１が回転できるように設置され、前記支持ロッド１３が前記回転ブロック４１のうち中心から離れている一端に固定的に連結され、前記支持ロッド１３のうち中心に近接する側の端面の中において前記伸びチャンバ２５に対応するところには引掛り溝３９が設置され、
前記折畳ロッド１２を引き両側に展開させると折畳または展開することができ、前記支持ロッド１３を選択的に使用する。
【００１３】
有益的には、前記手動装置１０２は前記伝動チャンバ１６を含み、前記伝動チャンバ１６の中には歯車３０が回転できるように設置され、前記歯車３０の上端には外部まで伸びている回転軸３１が固定的に設置され、前記ノブ１８が前記回転軸３１の上端に固定的に設置され、前記回転軸３１の中には前記ノブ１８と前記歯車３０を貫通する抜き穴３２が上下に貫通し設置され、前記伝動チャンバ１６の下壁の中には回転ロッド３３が回転できるように設置され、前記回転ロッド３３の下端が外部まで伸びており、前記回転ロッド３３の下端にはワッシャー３５が固定的に連結され、前記回転ロッド３３の上端が前記抜き穴３２を貫通し、前記回転ロッド３３の上端にはフック３４が固定的に連結され、前記伝動チャンバ１６の左右両側には二つの開口が逆であるプッシュロッドチャンバ３６が対称的に連通設置され、前記プッシュロッド１７が前記プッシュロッドチャンバ３６の中にスライドできるように設置され、前記プッシュロッド１７のうち中心に近接する側にはラック３７が固定的に連結され、前記ラック３７がそれぞれ前記歯車３０の前後両端に噛合し、前記ラック３７のうち前記プッシュロッド１７から離れている一端にはリミット板３８が固定的に連結され、前記リミット板３８が前記歯車３０と当接でき、
前記ノブ１８を回転させ前記プッシュロッド１７を移動連動させ、また前記リミット板３８により前記プッシュロッド１７の移動距離を制限する。
【００１４】
初期状態に、折畳ロッド１２と支持ロッド１３とが展開状態にあり、プッシュロッド１７がスライドチャンバ２４の中まで伸びており、伸縮ロッド１５が引掛り溝３９の中まで伸びている。
【００１５】
折畳むとき、ノブ１８を回転させ、回転軸３１により歯車３０を回転連動させ、歯車の噛合によりラック３７を移動連動させ、またプッシュロッド１７を駆動しプッシュロッドチャンバ３６の中に収縮させ、スライドブロック１４が戻しばね２９の弾力作用により中心に近接すように移動し、このとき伸縮ロッド１５が伸びチャンバ２５の中に収縮し、このとき支持ロッド１３を折畳ロッド１２の下方まで回転させ一回の折畳みを行い、そして両側に折畳ロッド１２を引き、連結ロッド１９と圧着ブロック２０により中心から離れている方向に移動させ、折畳ロッド１２をハンガー主体１１の下側に垂直まで回転させ、このとき圧着ばね２１の弾力作用により、折畳ロッド１２が互いに近接し、完全に折畳み、展開するとき、同様にまず両側に折畳ロッド１２を引き、また展開させ、このときノブ１８を回転させることができ、プッシュロッド１７と伸縮ロッド１５とを初期状態にリセットし、支持ロッド１３を使用する必要があるとき、支持ロッド１３を初期状態に回転させ、支持ロッド１３と伸縮ロッド１５とが当接するとき、伸縮ロッド１５が一定の距離を収縮し、引掛り溝３９が伸びチャンバ２５と向かい合うとき、伸縮ロッド１５が圧縮ばね２８の弾力作用により引掛り溝３９の中に伸び固定される。
【００１６】
本発明の有益的な効果は：本発明は構造が簡単で、操作が便利であり、旅行中に本装置を使用するとき、複数回に折畳まれ、収納効果がより著しくなり、空間を節約し、同時にニーズによって使用長さを選択でき、使用がより便利になる。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。